(57)【要約】      （修正有）【課題】液晶表示措置とスイッチを備えた小型操作パネルにおいて、表示する内容を少なくしても装置の使用に影響を与えないようにすることができる記録装置を提供する。【解決手段】表示手段に、現在のモードを表示する現在モード表示エリア３２と、前記現在のモードの下位の階層のモードの内の一つを表示する選択モード表示エリア３４と、前記現在のモードの最上位の階層から何階層離れているかを表示する階層表示エリア３１と、前記選択モード表示エリアに表示されているモードが予め記憶されている複数のモードの内の一つであるかまたは単数のモードであるかを示す条件表示エリア３３と、前記選択モード表示エリアに表示されているモードが実行可能なモードであるか否かを表示する指示表示エリア３５とを設け、ユーザーの操作できる範囲を明確に指示する。【選択図】図３
2014172205.tif 000002
【特許請求の範囲】
【請求項１】
入力手段と、表示手段と、記録媒体に画像を記録する記録手段と、前記入力手段の入力に基づいて演算を行い前記表示手段に表示する制御をすると共に前記記録手段を制御する制御手段と、を有する記録装置において、
前記入力手段は、ユーザーが操作するスイッチによる入力とセンサによる入力の少なくとも２通りの入力ができ、前記入力手段の入力によって前記記録装置の状態に応じた複数のモードの内から１つを選択でき、
前記表示手段は上下２段の表示領域を備えるキャラクター表示手段であり、前記表示領域は、現在のモードを表示する現在モード表示エリアと、前記現在のモードの下位の階層のモードの内の一つを表示する選択モード表示エリアと、前記現在のモードの最上位の階層から何階層離れているかを表示する階層表示エリアと、前記選択モード表示エリアに表示されているモードが予め記憶されている複数のモードの内の一つであるかまたは単数のモードであるかを示す条件表示エリアと、前記選択モード表示エリアに表示されているモードが実行可能なモードであるか否かを表示する指示表示エリアと、を有することを特徴とする記録装置。
【請求項２】
前記階層表示エリアに表示されるキャラクターは、少なくとも１文字分の表示領域に表示する複数の記号から構成されることを特徴とする請求項１に記載の記録装置。
【発明の詳細な説明】
【技術分野】
【０００１】
本発明は、記録媒体に画像を記録する記録装置に関する。特に操作内容を表示する表示手段を備える記録装置に関する。
【背景技術】
【０００２】
ホストコンピューターから受信した画像データに基づき、紙やプラスチックシートなどの記録媒体に画像を記録する記録装置が知られている。例えば、インクジェット式の記録ヘッドを用いた記録装置などである。
【０００３】
近年、記録装置は高性能および多機能化が進み、そのためユーザーが操作して決めなければならない設定値などの項目が飛躍的に多くなった。これらの設定の項目などは、使いやすくするために、カテゴリー毎などに分けられ、階層構造となっている。
【０００４】
また、ユーザーに対してこれら複雑化した内容を分かりやすく表示するために、搭載される表示装置も大型化している。大型化することで、一度に表示できる内容が多くなり、ユーザーにとっては分かりやすいと思われるためである。しかし、一方では、記録装置の小型化の要望があり、表示装置の小型化も必要となっている。しかし、表示装置を小型化した場合に、ユーザーにとっては表示内容が少なくなり使い勝手が悪くなってしまう可能性もある。
【０００５】
また、下記特許文献１の特開２００５−３４３０８６号公報では、記録装置から操作パネルと無くしてしまう技術についての記載が有る。これは、ホストコンピューター等から記録装置へ画像記録を指示するので、記録装置側では操作パネルを用いなくとも記録ができるためである。
【先行技術文献】
【特許文献】
【０００６】
【特許文献１】特開２００５−３４３０８６号公報
【発明の概要】
【発明が解決しようとする課題】
【０００７】
しかし、記録装置とホストコンピューターが離れた場所にある場合に、ユーザーが記録装置側で操作しなければならないことが生じる。そのため操作パネルは記録装置に備わっている方が望ましく、操作性が良い方が望ましいい。一方、記録装置の小型化の要望に伴い、操作パネルも小型のものが望まれる。しかし、表示装置が小型化すると操作性が悪くなる可能性がある。そのため、操作性の良い小型の操作パネルを備えた記録装置が望まれている。
【課題を解決するための手段】
【０００８】
本発明の記録装置は、入力手段と、表示手段と、記録媒体に画像を記録する記録手段と、前記入力手段の入力に基づいて演算を行い前記表示手段に表示する制御をすると共に前記記録手段を制御する制御手段と、を有する記録装置において、前記入力手段は、ユーザーが操作するスイッチによる入力とセンサによる入力の少なくとも２通りの入力ができ、前記入力手段の入力によって前記記録装置の状態に応じた複数のモードの内から１つを選択でき、前記表示手段は上下２段の表示領域を備えるキャラクター表示手段であり、前記表示領域は、現在のモードを表示する現在モード表示エリアと、前記現在のモードの下位の階層のモードの内の一つを表示する選択モード表示エリアと、前記現在のモードの最上位の階層から何階層離れているかを表示する階層表示エリアと、前記選択モード表示エリアに表示されているモードが予め記憶されている複数のモードの内の一つであるかまたは単数のモードであるかを示す条件表示エリアと、前記選択モード表示エリアに表示されているモードが実行可能なモードであるか否かを表示する指示表示エリアと、を有することを特徴とする。
【発明の効果】
【０００９】
本発明によれば、記録装置に搭載される操作パネルの表示装置が小型のものであっても、ユーザーにとって、操作がしやすい操作パネルを備えた記録装置を提供できる。
【図面の簡単な説明】
【００１０】
【図１】図１は、記録装置のブロック図である。
【図２】図２は、記録装置のモードを説明する図である。
【図３】図３は、記録装置の表示内容を説明する図である。
【図４】図４は、動作を説明するフローチャートである。
【発明を実施するための形態】
【００１１】
図面を用いて実施形態を説明する。
図１は記録装置のブロック図である。記録装置は、全体の動作を制御する制御手段１、ユーザーの操作により入力する入力手段２、制御手段１のプログラムや初期設定値などを記憶するＲＯＭ３、制御手段１のワーキングメモリーやデータを一時的に記憶するＲＡＭ４、文字や図などを表示する表示手段５、記録ヘッドからインクを吐出して画像やデータなどを記録媒体に記録する記録手段６、記録装置の自動制御に用いる第１センサ７および第２センサ８を備える。
【００１２】
制御手段１は、ＲＯＭ３に記憶されているプログラムに従って記録装置全体の制御を行う。記録手段６は制御手段に制御され、画像を記録媒体に記録する。第１センサ７および第２センサ８は、記録装置の動作における状態の変化を検出し、制御手段１に出力する。例えば、記録ヘッドの位置を検出するセンサ、カバーの開閉を検出するセンサ、記録媒体が記録位置にあるか否かを検出するセンサ、環境温度、ヒーター温度など温度を検出するセンサ、記録媒体の厚みを検出するセンサなどである。入力手段２は、上下左右の方向にカーソルを移動するための上下左右方向のスクロールスイッチ、指示を確定するための実行スイッチ、数字や文字を入力するスイッチなどが含まれる。
【００１３】
図２は、記録装置のモードを説明する図である。記録装置には、ユーザーの操作や、その結果生じた状態からの自動的な遷移などで、様々な状態となる。また、記録紙やプラスチックフィルムなどの記録媒体の種類や厚み、インクの種類、環境温度、ヒーター温度、印刷範囲などによって記録される画質が異なり、ユーザーにとっては最適な状態にして使用することが好ましい。このような状態は、モードに分けられ制御手段１が管理している。例えば、図２のように、階層構造でモードが管理されている。これは一例である。
【００１４】
メインモード１０には、第１モード１１、第２モード１２、第３モード１３が備わる。また、第１モード１１には第１設定モード１４と第２設定モード１５が備わる。また、第２モード１２には説明表示モード１６が備わる。また第３モード１３には、第３設定モード１７、説明モード１８、オートモード１９が備わる。オートモード１９には第１オート表示２０、第２オート表示２１が備わる。
【００１５】
このような階層構造であっても、下位の下位層に複数のモードを持つもの、一つのモードを持つもの、何も持たない物がある。また、何か設定値を入力して設定する設定モード、図や文字を表示して説明をするモード、自動的に動作を行うオートモードなどの複数のモードの種類がある。
【００１６】
例えば、設定モードでは、記録媒体の種類を選択するモードがある。これは、予め記憶されている複数の種類の記録媒体を順番に表示し、使用する記録媒体を選択するモードである。また、ヘッド高さ設定モードのように、使用するヘッドの高さの数字を入力するモードである。また、センサかの入力に応じて、モードを自動的に変化させるモードもある。また、予め記憶されている説明文を表示するモードもある。このような様々な種類のモードが存在する。
【００１７】
図３は、記録装置の表示内容を説明する図である。図３（ａ）は、表示画面と表示項目とその表示エリアを説明する図である。図３（ｂ）は、表示の第１の例を説明する図である。図３（ｃ）は、表示の第２の例を説明する図である。
【００１８】
表示手段５は、例えば液晶表示装置である。小型化のために、上段と下段の２段で、文字或いは記号のキャラクター表示ができる。キャラクターのデータは予めＲＯＭ３に記憶されている。この表示画面３０を複数のエリアに分けて用いる。各表示エリアにはそこに表示する情報を限定し、同種の情報を表示させることでユーザーに分かりやすいものにしている。
【００１９】
現在のモードを表示する現在のモード表示領域３２には、現在のモード名を表示する。これは、上段に表示する。現在のモードに上位階層が有るか否かが分かるように、また、最上位階層から何階層目か分かるように階層表示領域３１が上段左端にある。現在のモードに選択可能なモードがある場合に、それを表示する選択モード表示領域３４が下段中央部に配置されている。また、選択するものが複数ある場合に、順番に表示を入れ替える必要がある。その場合に、上向き矢印、下向き矢印、上下向き矢印を表示する。上向き矢印は入力手段２に配置されている上向きのスクロールスイッチを押すと切り替えることができることを示し、下向き矢印は入力手段２に配置されている下向きのスクロールスイッチを押すと切り替えることができることを示し、上下向き矢印は入力手段２に配置されている上向きまたは下向きのスクロールスイッチを押すと切り替えることができることを示している。これら矢印が表示されていれば、複数の選択が可能である。また、数値入力を擦る場合はその入力された数値を表示する。指示表示領域３５は、選択モード表示領域３４に表示されている内容に対して、それを実行できるか否かが分かる表示をする。すなわち、二重丸の表示がされていれば実行可能であり、何も表示されていなければ実行はできずに数値等を入力するか、説明等を表示するかなどをすることができる。
【００２０】
より具体的に、図３（ｂ）、（ｃ）を用いて説明する。「＞」字型の記号３６は、最上位から１階層下の下位層を示す。「＞＞」字型の記号４１は、最上位から２階層下の下位層を示す。「＞」字型の数に応じて何階層目か判断ができる。「修正モード」の表示３７と「補正値」の表示４２は、現在のモード表示領域３２に表示されている現在のモード名である。上下方向の矢印表示３８は、修正モードには選択可能な複数の下位階層のモードがあることを示し、上下のスクロールスイッチで表示を切り替えることができることを示している。図３（ｂ）では、「補正値確認」のモード３９が表示され、そのモードは実行可能であることを二重丸４０が示している。入力手段２の実行スイッチによって表示されているモードが実行できる。
【００２１】
図３（ｃ）の「補正値」のモードでは、下段には、「０．０１」と数字が入力されている。条件表示領域３３および指示表示領域３５には表示がされていない。これは、このモードには選択できる予め記憶されたモードが無く、また実行できるモードでないことを示している。「補正値」のモードでは、入力手段２から、補正値の入力が可能であり、現在０．０１の値が入力されていることを示し、ユーザーの操作でこの値を変更可能である。
【００２２】
また、表示で使うキャラクターはＲＯＭ３に予め記憶され、例えば、「＞」と「＞＞」も１文字分のキャラクターとしてＲＯＭ３に予め記憶されている。少ない表示領域で意図する意味を表現する為である。
【００２３】
図４は、動作を説明するフローチャートである。現在のモードからスイッチの入力がされ、モードが遷移する動作を説明する。制御手段１がプログラムに従って制御動作をする。
【００２４】
ステップＳ１では、現在のモードが表示されている。次にユーザーによって入力手段２のスイッチの操作がされる。
【００２５】
ステップＳ２では、入力されたスイッチが、現在のモードにおける有効なスイッチの操作であるか否かを判断する。例えば、条件表示領域３３に上矢印の表示がされていた場合に、方向のスクロールスイッチが押されていれば機能せず、上方向のスクロールスイッチが押されれば機能することになる。有効なものであれば、Ｙｅｓであり、ステップＳ３に遷移し、無効なものであれば、Ｎｏであり、ステップＳ５に遷移する。
【００２６】
ステップＳ３では、操作入力に応じてスイッチ入力の処理がされる。その入力に応じたモードの遷移を行う。例えば、指示表示領域３５に二重丸の表示がされ、実行スイッチが操作されれば、選択モード表示領域３４に表示されているモードの実行がされ、例えば図３（ｂ）から、図３（ｃ）にモードが遷移する。また、数値入力の場合は入力手段のテンキーから数値が入力される。
【００２７】
ステップＳ４では、新しく遷移したモードの表示がされる。階層表示領域３１は更に下位階層となる表示変わり、現在のモード表示領域３２は、新たに遷移したモード名の表示がされ、条件表示領域３３、選択モード表示領域３４、指示表示領域３５は、新たに遷移したモードに応じた表示がされる。表示が終了したらこの処理は終了し、次の処理をする。
【００２８】
ステップＳ５では所定のセンサ入力がされたのか判断する。例えば第１センサ７または第２センサ８が検出したか否かを判断する。モード遷移には、ユーザーによる操作入力とセンサによる検出結果によるものがある。ステップＳ２では、ユーザーの操作入力を判断し、ステップＳ５ではセンサによる検出結果を判断する。同時の場合には、ユーザーによる操作入力を優先することを意味する。直ぐに停止させなければならないなどの緊急性の高い場合が考えられるからである。
【００２９】
ステップＳ６では、センサ入力に応じてそのセンサ入力に応じた処理がされる。その入力に応じたモードの遷移を行う。例えば、選択モード表示領域３４に「カバークローズ待ち」、「キャリッジ移動待ち」などの表示されている場合がある。例えば第１センサ７が、カバー開閉センサであり、カバーの開閉を検出する。このセンサが検出するカバーの閉状態を検出することで、「カバークローズ待ち」から次の状態に自動的に遷移することになる。また、例えば第２センサ８が、キャリッジ位置検出センサであり、キャリッジの位置を検出する。キャリッジが目的の位置に来たことを検出することで、「キャリッジ移動待ち」から次の状態に自動的に遷移することになる。このように、センサの検出によってモードが遷移する。
【００３０】
ステップＳ７では、新しく遷移したモードの表示がされる。階層表示領域３１、現在のモード表示領域３２は、新たな階層、新たに遷移したモード名の表示がされ、条件表示領域３３、選択モード表示領域３４、指示表示領域３５は、新たに遷移したモードに応じた表示がされる。表示が終了したらこの処理は終了し、次の処理をする。
【産業上の利用可能性】
【００３１】
本発明は、インクジェット式の記録装置に適用できる。
【符号の説明】
【００３２】
１  制御手段
２  入力手段
３  ＲＯＭ
４  ＲＡＭ
５  表示手段
６  記録手段
７  第１センサ
８  第２センサ
３０  表示画面
３１  階層表示領域
３２  モード表示領域
３３  条件表示領域
３４  選択モード表示領域
３５  指示表示領域
【図１】
2014172205.tif 000003
【図２】
2014172205.tif 000004
【図３】
2014172205.tif 000005
【図４】
2014172205.tif 000006